(57)【要約】      （修正有）【課題】散布剤をより簡易に散布できるようにした包装用箱を提供する。【解決手段】粉粒状の農業用散布剤２が袋詰めされており、それが包装用箱１に収納されている。包装用箱の上面３を構成する右フラップ１１には、第１の開口部１７が形成されている。また、包装用箱の右側面６には、第１の開口部１７につながるように上辺から下方に延びる第２の開口部１８が形成されている。第１の開口部１７から袋１５の一部を引き出して開封し、袋の一部を第２の開口部１８に差し入れて固定した状態として、包装用箱を傾けることにより、袋から農業用散布剤を散布することができる。【選択図】図１
0003202619.tif 000002
【実用新案登録請求の範囲】
【請求項１】
粉粒状の散布剤が袋詰めされた状態で収納される包装用箱であって、
該包装用箱の上面に設けられた第１の開口部と、
該包装用箱の前面、側面及び後面のいずれかの面に設けられ、前記第１の開口部につながるように上辺から下方に延びる第２の開口部とを備え、
前記第１の開口部から袋の一部を引き出して開封し、前記袋の一部を前記第２の開口部に差し入れて固定した状態として、該包装用箱を傾けることにより、前記袋から前記散布剤を散布できる構成にしたことを特徴とする包装用箱。
【請求項２】
前記第１の開口部は、前記第２の開口部につながる箇所から徐々に拡幅するＶ字状の開口縁を有することを特徴とする請求項１に記載の包装用箱。
【請求項３】
前記上面は、内フラップと外フラップとを含んで構成され、
前記内フラップに、前記第１の開口部が形成され、
前記外フラップには、前記第１の開口部を開閉する蓋部が形成されていることを特徴とする請求項１又は２に記載の包装用箱。
【請求項４】
前記第２の開口部は、前記第１の開口部につながるように上辺から下方に延びる第１の切込と、前記第１の切込の下端部から水平方向に向かう第２の切込とにより構成されることを特徴とする請求項１乃至３のいずれか１項に記載の包装用箱。
【考案の詳細な説明】
【技術分野】
【０００１】
本考案は、粉粒状（本願では「粉状又は粒状」との意味とする）の農業用散布剤等が入れられた袋を収納して販売に供するのに利用して好適な包装用箱に関する。
【背景技術】
【０００２】
除草剤や肥料等の農業用散布剤として粉粒状のものがある。このような粉粒状の農業用散布剤は、特に数ｋｇといった多量で販売される場合、袋詰めしたものを包装用箱に収納したかたちで販売に供される。
購入者の利便性を図るために、包装用箱に散布器（例えば折り畳み式の紙製カップ）を同梱しておくことがある。
また、本出願人は、特許文献１において、包装用箱を散布器として利用して粉粒状の農業用散布剤を散布できるようにすることを提案している。
【先行技術文献】
【特許文献】
【０００３】
【特許文献１】実用新案登録第３１８６５４６号公報
【考案の概要】
【考案が解決しようとする課題】
【０００４】
ユーザの要求として、できるだけ簡易に農業用散布剤を散布できるようにすることが挙げられる。
そういった観点では、包装用箱に同梱した散布器を用いたり、包装用箱を散布器として利用したりするやり方では、包装用箱を開封し、散布器を取り出して農業用散布剤をすくったり、農業用散布剤を袋から包装用箱に移し替えたりしなければならず、手間がかかってしまう。
【０００５】
本考案は上記のような点に鑑みてなされたものであり、散布剤をより簡易に散布できるようにすること目的とする。
【課題を解決するための手段】
【０００６】
本考案の包装用箱は、粉粒状の散布剤が袋詰めされた状態で収納される包装用箱であって、該包装用箱の上面に設けられた第１の開口部と、該包装用箱の前面、側面及び後面のいずれかの面に設けられ、前記第１の開口部につながるように上辺から下方に延びる第２の開口部とを備え、前記第１の開口部から袋の一部を引き出して開封し、前記袋の一部を前記第２の開口部に差し入れて固定した状態として、該包装用箱を傾けることにより、前記袋から前記散布剤を散布できる構成にしたことを特徴とする。
また、本考案の包装用箱の他の特徴とするところは、前記第１の開口部は、前記第２の開口部につながる箇所から徐々に拡幅するＶ字状の開口縁を有する点にある。
また、本考案の包装用箱の他の特徴とするところは、前記上面は、内フラップと外フラップとにより構成され、前記内フラップに、前記第１の開口部が形成され、前記外フラップには、前記第１の開口部を開閉する蓋部が形成されている点にある。
また、本考案の包装用箱の他の特徴とするところは、前記第２の開口部は、前記第１の開口部につながるように上辺から下方に延びる第１の切込と、前記第１の切込の下端部から水平方向に向かう第２の切込とにより構成される点にある。
【考案の効果】
【０００７】
本考案によれば、袋詰めされた状態でのままで散布剤を散布することができ、散布剤をより簡易に散布することができる。
【図面の簡単な説明】
【０００８】
【図１】実施形態に係る包装用箱及びそれに収納される袋詰めの農薬用散布剤を示す図である。
【図２】実施形態に係る包装用箱の展開図である。
【図３】農業用散布剤を詰める袋を示す図である。
【図４】図２の展開図において第１の開口部及び第２の開口部まわりを示す拡大図である。
【図５】農業用散布剤の散布までの包装用箱のセットの仕方を説明するための図である。
【考案を実施するための形態】
【０００９】
以下、添付図面を参照して、本考案の好適な実施形態について説明する。
図１に示すように、粉粒状の農業用散布剤（除草剤や肥料等）２が袋詰めされており、それが包装用箱１に収納されている。
包装用箱１は厚紙からなり、上面３、前面４、左右の側面５、６、後面７、及び底面８を有する。上面３は、後面７につながる内フラップ９と、左右の側面５、６にそれぞれつながる左右の内フラップ１０、１１と、前面４につながる外フラップ１２とにより構成される。内フラップ９には取っ手１３が設けられており、外フラップ１２に取っ手１３を引き出す長穴１４が形成されている。図２に、包装用箱１の展開図を示す。図２において、点線は折り曲げ線を示し、実線は切込を示す。
【００１０】
図３には、農業用散布剤２を詰める袋１５を示す。袋１５は２枚の樹脂フィルムを合わせて、その四辺をシールすることにより密封される、所謂四辺シール袋である。図２では農業用散布剤２が詰められていない状態を示すが、実際には農業用散布剤２が詰められた状態で四辺がシールされて、図１に示すように包装用箱１に収納される。両側の辺（シール部１５ａ）の上部には、袋１５を開封するための切込１６が水平方向に形成されている。なお、四辺シール袋としたが、それに限られるものではなく、例えば底部がつながる三辺シール袋であってもよい。
【００１１】
ここで、図４にも示すように、右フラップ１１には、第１の開口部１７が形成されている。
また、右側面６には、第１の開口部１７につながるように上辺から下方に延びる第２の開口部１８が形成されている。右側面６には、第１の開口部１７につながるように上辺から下方に延びる切込１８ａと、その下端部から水平方向（後面７に向かう方向）に向かう切込１８ｂとが形成されており、これら切込１８ａ、１８ｂで囲まれた部分１８ｃを開くことにより、スリット状の第２の開口部１８が形成される。
そして、第１の開口部１７は、第２の開口部１８につながる箇所から徐々に拡幅するＶ字状をなす開口縁１７ａ、１７ａを有する。
【００１２】
外フラップ１２には、第１の開口部１７を開閉する蓋部１９が形成されている。蓋部１９は、外フラップ１２の右辺から左辺に向かう一対の切込１９ａ、１９ａを形成することにより構成される。
また、内フラップ９には、第１の開口部１７を塞がないように開口部２０が形成されている。
なお、左右の内フラップ１０、１１に形成されている開口部２１、２２は、取っ手１３の端部を掛け止めるためのものであり、第１の開口部１７及び第２の開口部１８の機能とは関係ないため、その詳細な説明は省略する。
【００１３】
以上のようにした包装用箱１を利用して農業用散布剤２を散布するときは、図５（Ａ）、（Ｂ）に示すように、蓋部１９を開けて、第１の開口部１７から袋１５の上部の右角部を引き出す。
【００１４】
次に、図５（Ｂ）に示すように、袋１５の一部、具体的には切込１６よりも下方部分を第２の開口部１８に差し入れて固定する。厚みのないシール部１５ａをスリット状の第２の開口部１８に差し入れればよいので、簡単に差し入れることができる。また、第２の開口部１８は単なる開口ではなく、切込１８ａ、１８ｂで囲まれた部分１８ｃを開閉できるようになっているので、部分１８ｃで袋１５を挟み込んでしっかりと保持することができる。
また、図５（Ｃ）に示すように、切込１６を使って袋１５を開封する。切込１６は水平方向に形成されているが、第１の開口部１７からは袋１５の上部の右角部が引き出されるので、切込１６に従って開封すれば、袋１５の右辺から上辺にかけて斜めに開封されることになる。
【００１５】
次に、図５（Ｄ）に示すように、袋１５の開封口を第１の開口部１７の形状に倣うようにしっかりと開く。第１の開口部１７はＶ字状をなす開口縁１７ａ、１７ａを有するので、この開口縁１７ａ、１７ａに倣って開封口の下部もＶ字状となる。
この状態で、包装用箱１を傾けることにより、袋１５から農業用散布剤２を散布することができる。この場合に、開封口の下部が開口縁１７ａ、１７ａに倣ってＶ字状となっているので、農業用散布剤２が散乱することがなく、狙った箇所に的確に散布することが可能になる。
以上のように、袋詰めされた状態のままで農業用散布剤２を散布することができ、農業用散布剤２を簡易に散布することができる。
【００１６】
以上、本考案を実施形態と共に説明したが、上記実施形態は本考案を実施するにあたっての具体化の例を示したものに過ぎず、これらによって本考案の技術的範囲が限定的に解釈されてはならないものである。すなわち、本考案はその技術思想、又はその主要な特徴から逸脱することなく、様々な形で実施することができる。例えば上記実施形態では、包装用箱１の右側に第１の開口部１７及び第２の開口部１８を配置した例を説明したが、それに限られるものではなく、第１の開口部１７の位置に合わせて、前面４、左側面５、後面７のいずれかに第２の開口部１８が設けられるようにしてもよい。
【符号の説明】
【００１７】
１：包装用箱、２：農業用散布剤、３：上面、６：右側面、１１：右の内フラップ、１２：外フラップ、１５：袋、１７：第１の開口部、１７ａ：開口縁、１８：第２の開口部、１８ａ、１８ｂ：切込、１９：蓋部
【図１】
0003202619.tif 000003
【図２】
0003202619.tif 000004
【図３】
0003202619.tif 000005
【図４】
0003202619.tif 000006
【図５】
0003202619.tif 000007